(57)【要約】【課題】ランプピン間隔が異なる蛍光ランプに、簡易な構成により適正な電力を間違うことなく供給することができる照明器具を提供する。【解決手段】蛍光ランプ１１の口金１２に設けられている１対のランプピン１３，１４の断面形状を定格電力に応じて変え、装着されたランプピン１３、１４の断面形状を自動判別して、断面形状に対応して電源端子２１に供給する電力を変えるようにしたので、蛍光ランプ１１をソケットに装着するだけで、間違いなく装着された蛍光ランプ１１に定格電力を供給することができる。【選択図】図１
2009283230.tif 000002
【特許請求の範囲】
【請求項１】
蛍光ランプの端部に設けられている口金から突設されている１対のランプピンを、ソケットに設けられている電源端子に接続して前記蛍光ランプを点灯させる照明器具であって、
前記蛍光ランプの種類に応じて前記ランプピンの形状を変えるとともに、前記ソケットに装着された前記ランプピンの形状を自動判別して、断面形状に対応して前記電源端子に供給する電力を変えたことを特徴とする照明器具。
【請求項２】
前記ランプピンの断面が、所定の幅を有し、径方向の長さが異なる形状であるとともに、前記ソケットに、前記断面が長い前記ランプピンのみに接触する接触子を設けて前記ランプピンの断面形状を判別することを特徴とする請求項１記載の照明器具。
【請求項３】
前記ランプピンの断面が、所定の幅を有し、径方向の長さが異なる形状であるとともに、前記ソケットに同心で多重の回転子を各々独立して回転可能に設け、前記断面が短いランプピンが装着された場合には外側の回転子のみが回転し、前記断面が長いランプピンが装着された場合には隣接する複数の前記回転子が回転することにより前記ランプピンの断面形状を判別することを特徴とする請求項１記載の照明器具。
【請求項４】
前記ランプピンの断面が、所定の幅を有し、径方向の長さが異なる形状であるとともに、前記断面が長い前記ランプピンのみを検出するスイッチを設けて前記ランプピンの断面形状を判別することを特徴とする請求項１記載の照明器具。
【請求項５】
前記ランプピンの断面形状が、楕円、長円、長方形のいずれかであることを特徴とする請求項２〜４の何れかに記載の照明器具。
【発明の詳細な説明】
【技術分野】
【０００１】
本発明は、蛍光ランプのサイズに応じて所定の定格電力を供給することができる照明器具に関するものである。
【背景技術】
【０００２】
図５に示すように、従来の照明器具に装着可能な蛍光ランプ１０１には、蛍光ランプ１０１を支持するとともに、電力を供給する口金部１０２が取付けられており、複数本のランプピン１０３が突設されている。また、口金部１０２の中央部には、突出部１０４が設けられており、突出部１０４の側周壁１０４ａの両側には、抜け止め用係止部１０５が設けられている。さらに、口金部１０２の周側面１０２ａには、蛍光ランプ１０１の定格電力に応じて各々異なる部位に、誤挿入防止用突起１０６が設けられている。一方、蛍光ランプ１０１が取付けられるソケット（図示省略）には、装着される蛍光ランプ１０１を判別する判別部であるスイッチが設けられており、装着された蛍光ランプ１０１の誤挿入防止用突起１０６がスイッチを押圧することにより、定格電力を判別するようになっている（例えば特許文献１参照）。
【特許文献１】特開２００１−３５７９８８号公報（第２図）
【発明の開示】
【発明が解決しようとする課題】
【０００３】
しかしながら、前述した特許文献１に記載の照明器具においては、ソケットに設けられたスイッチによって入力電力を切替えているので、部品点数が増えるとともに、複雑な構成となっていたという問題があった。
【０００４】
本発明は、従来の問題を解決するためになされたもので、ランプピン間隔が異なる蛍光ランプに、簡易な構成により適正な電力を間違うことなく供給することができる照明器具を提供することを目的とする。
【課題を解決するための手段】
【０００５】
本発明の照明器具は、蛍光ランプの端部に設けられている口金から突設されている１対のランプピンを、ソケットに設けられている電源端子に接続して前記蛍光ランプを点灯させる照明器具であって、前記蛍光ランプの種類に応じて前記ランプピンの形状を変えるとともに、前記ソケットに装着された前記ランプピンの形状を自動判別して、断面形状に対応して前記電源端子に供給する電力を変えた構成を有している。
【０００６】
この構成により、蛍光ランプの口金に設けられている１対のランプピンの断面形状を定格電力に応じて変え、装着されたランプピンの断面形状を自動判別して、断面形状に対応して電源端子に供給する電力を変えるようにしたので、蛍光ランプをソケットに装着するだけで、間違いなく装着された蛍光ランプに定格電力を供給することができる。
【０００７】
また、本発明の照明器具は、前記ランプピンの断面が、所定の幅を有し、径方向の長さが異なる形状であるとともに、前記ソケットに、前記断面が長い前記ランプピンのみに接触する接触子を設けて前記ランプピンの断面形状を判別する構成を有している。
【０００８】
この構成により、ランプピンを、所定の幅を有し、径方向の長さが異なる断面形状に形成し、ソケットに断面が長いランプピンのみに接触する接触子を設けて、ランプピンの断面形状を判別するので、蛍光ランプをソケットに装着するだけで蛍光ランプを判別でき、間違いなく装着された蛍光ランプに定格電力を供給することができる。
【０００９】
さらに、本発明の照明器具は、前記ランプピンの断面が、所定の幅を有し、径方向の長さが異なる形状であるとともに、前記ソケットに同心で多重の回転子を各々独立して回転可能に設け、前記断面が短いランプピンが装着された場合には外側の回転子のみが回転し、前記断面が長いランプピンが装着された場合には隣接する複数の前記回転子が回転することにより前記ランプピンの断面形状を判別する構成を有している。
【００１０】
この構成により、ランプピンを、所定の幅を有し、径方向の長さが異なる断面形状に形成し、ソケットには同心で多重の回転子を各々独立して回転可能に設けた。そして、断面が短いランプピンが装着された場合には外側の回転子のみが回転し、断面が長いランプピンが装着された場合には隣接する複数の前記回転子が回転するようにしたので、蛍光ランプをソケットに装着するだけで蛍光ランプを判別でき、間違いなく装着された蛍光ランプに定格電力を供給することができる。
【００１１】
さらに、本発明の照明器具は、前記ランプピンの断面が、所定の幅を有し、径方向の長さが異なる形状であるとともに、前記断面が長い前記ランプピンのみを検出するスイッチを設けて前記ランプピンの断面形状を判別する構成を有している。
【００１２】
この構成により、ランプピンを、所定の幅を有し、径方向の長さが異なる断面形状に形成し、断面が長い前記ランプピンのみを検出するスイッチを設けたので、蛍光ランプをソケットに装着するだけでスイッチが蛍光ランプを判別して、間違いなく装着された蛍光ランプに定格電力を供給することができる。
【００１３】
さらに、本発明の照明器具は、前記ランプピンの断面形状が、楕円、長円、長方形のいずれかである構成を有している。
【００１４】
この構成により、所定の幅を有し、径方向の長さが異なるランプピンの断面形状として、楕円、長円、長方形を採用することができる。
【発明の効果】
【００１５】
本発明は、蛍光ランプの口金に設けられている１対のランプピンの断面形状を定格電力に応じて変え、装着されたランプピンの断面形状を自動判別して、断面形状に対応して電源端子に供給する電力を変えるようにしたので、蛍光ランプをソケットに装着するだけで、間違いなく装着された蛍光ランプに定格電力を供給することができるという効果を有する照明器具を提供することができるものである。
【発明を実施するための最良の形態】
【００１６】
以下、本発明の実施の形態の照明器具について、図面を用いて説明する。
図１は蛍光ランプの端部を示す側面図およびソケットの正面図であり、（Ａ）はランプピンの断面形状が長い場合、（Ｂ）はランプピンの断面形状が短い場合を示す。
【００１７】
図１に示すように、第１実施形態にかかる照明器具１０Ａは、蛍光ランプ１１の端部に設けられている口金１２から突設されている１対のランプピン１３，１３（１４，１４）を、異なる断面形状に形成している。ランプピン１３、１４は、断面形状は異なっているが、その外側面は蛍光ランプ１１の中心ＣＬから等距離Ｌにある。
【００１８】
また、ソケット２０には、長い断面のランプピン１３の外側面および短い断面のランプピン１４の外側面に接触する１対の電源端子２１，２１と、その内側に、長いランプピン１３の場合にのみ接触する接触子２２、２２を設けた。そして、電源端子２１、２１を安定器３０に接続するとともに、接触子２２，２２を安定器３０に設けられ、接触子２２からの信号に基づいて、ランプピン１３、１４の断面形状を検出して、電源端子２１、２１に供給する定格電力を指令する検出部３１に接続した。
【００１９】
従って、図１（Ａ）に示すように、断面形状が長い（ここでは例えば上下に長い楕円形）ランプピン１３を有する蛍光ランプ１１Ａをソケット２０に装着すると、ランプピン１３の上下両外側端１３ａ、１３ａが電源端子２１，２１に接触するとともに、ランプピン１３の内側端１３ｂは接触子２２に接触する。このため、判断部３１は、接触子２２からのオン信号に基づいてランプピン１３の断面形状は楕円形であると判断し、楕円形のランプピン１３を有する蛍光ランプ１１Ａに対応した定格電力を供給するように安定器３０に指令する。
【００２０】
一方、図１（Ｂ）に示すように、断面形状が短い（ここでは例えば真円形）ランプピン１４を有する蛍光ランプ１１Ｂをソケット２０に装着すると、ランプピン１４の上下両外側端１４ａ、１４ａが電源端子２１，２１に接触するが、ランプピン１４の内側端１４ｂは接触子２２に届かないため接触しない。このため、判断部３１は、接触子２２からのオフ信号に基づいてランプピン１４の断面形状は真円形であると判断し、真円形のランプピン１４を有する蛍光ランプ１１Ｂに対応した定格電力を供給するように安定器３０に指令する。
【００２１】
以上、説明した第１実施形態にかかる照明器具１０Ａによれば、蛍光ランプ１１の口金１２に設けられている１対のランプピン１３（１４）の断面形状を、所定の幅を有し、径方向の長さが異なる形状とし、ソケット２０に、断面が長いランプピン１３のみに接触する接触子２２を設けてランプピン１３（１４）の断面形状を判別する。そして、判別した断面形状のランプピン１３（１４）に対応して電源端子２１、２１に供給する電力を変えるようにしたので、蛍光ランプ１１をソケット２０に装着するだけで、間違いなく装着された蛍光ランプ１１に定格電力を供給することができる。
【００２２】
次に、本発明の第２実施形態にかかる照明器具について、図面を用いて説明する。
図２は本発明の第２の実施の形態にかかる照明器具におけるソケットの要部構成図であり、（Ａ）はランプピンの断面形状が長い場合、（Ｂ）はランプピンの断面形状が短い場合を示す、図３はソケットの斜視図である。なお、前述した第１実施形態にかかる照明器具と共通する部位には同じ符号を付して、重複する説明を省略することとする。
【００２３】
図２および図３に示すように、本発明の第２実施形態にかかる照明器具１０Ｂでは、ソケット２０に、同心で多重（ここでは、例えば２重）の回転子２５、２６を設けてある。すなわち、中心部に円板状の回転子２５を回転可能に設け、回転子２５の外側にリング状の回転子２６を回転可能に設けてある。両回転子２５、２６は、各々別個に回転可能であるが、他方の回転子の回転につられて回転することはない。
【００２４】
ソケット２０には、ランプピン１３，１４の外側端１３ａ、１４ａに接触する電源端子２１が設けられており、ソケット２０の内部における内側の回転子２５の内側には、回転子２５が９０度回転したときに、長いランプピン１３のみが接触可能な１対の検出子２７、２７が設けられている。電源端子２１は安定器３０に接続されており、電力が供給される。また、検出子２７は、安定器３０に設けられている判断部３１に接続されている。
【００２５】
従って、図２（Ａ）に示すように、長い断面形状（ここでは例えば楕円）のランプピン１３、１３を有する蛍光ランプ１１Ａのランプピン１３、１３を、ソケット２０のスリット２４に挿入した場合には、ランプピン１３は長いので外側の回転子２６および内側の回転子２５に当接する。このため、蛍光ランプ１１Ａを回転させると、外側の回転子２６および内側の回転子２５が回転して、ランプピン１３は検出子２７に接触してオンとする。判断部３１は、接触子２７からのオン信号に基づいて内側の回転子２５が回転したことを検知し、ランプピン１３の断面形状は楕円形であると判断して、楕円形のランプピン１３を有する蛍光ランプ１１Ａに対応した定格電力を供給するように安定器３０に指令する。
【００２６】
一方、図２（Ｂ）に示すように、断面形状が短い（ここでは例えば真円形）ランプピン１４を有する蛍光ランプ１１Ｂをソケット２０に装着すると、ランプピン１４は短いため、内側の回転子２５に届かない。従って、蛍光ランプ１１Ｂを回転させると、外側の回転子２６のみが回転するので、検出子２７はオフのままである。このため、判断部３１は、接触子２７からのオフ信号に基づいて内側の回転子２５が回転していないことを検知し、ランプピン１４の断面形状は真円形であると判断して、真円形のランプピン１４を有する蛍光ランプ１１Ｂに対応した定格電力を供給するように安定器３０に指令する。
【００２７】
以上、説明した第２実施形態にかかる照明器具１０Ｂでは、ランプピン１３，１４を、所定の幅を有し、径方向の長さが異なる楕円形あるいは真円形に形成し、ソケット２０には同心で多重の回転子２５、２６を各々独立して回転可能に設けた。そして、断面が短いランプピン１４が装着された場合には外側の回転子２６のみが回転し、断面が長いランプピン１３が装着された場合には隣接する複数の回転子２５，２６が回転するようにしたので、蛍光ランプをソケットに装着するだけで蛍光ランプを判別でき、間違いなく装着された蛍光ランプに定格電力を供給することができる。
【００２８】
次に、本発明の第３実施形態にかかる照明器具について、図面を用いて説明する。
図４は本発明の第２の実施の形態にかかる照明器具における蛍光ランプとソケットとの取付部および要部構成図であり、（Ａ）はランプピンの断面形状が長い場合、（Ｂ）はランプピンの断面形状が短い場合を示す。なお、前述した第１または第２実施形態にかかる照明器具と共通する部位には同じ符号を付して、重複する説明を省略することとする。
【００２９】
図４に示すように、本発明の第３実施形態にかかる照明器具１０Ｃでは、断面が長いランプピン１３のみを検出するスイッチ２８を設けてランプピン１３，１４の断面形状を判別する。
すなわち、ソケット２０には、ランプピン１３，１４の外側端１３ａ、１４ａに接触する電源端子２１が設けられており、ソケット２０の内部には、長いランプピン１４は届くが、短いランプピン１３は届かない位置に、スイッチ２８の接触子２８ａが配置されている。スイッチ２８は安定器３０の判断部３１に接続されており、判断部３１はスイッチ２８からの信号に基づいて、供給する電力を安定器３０に指示する。
【００３０】
従って、図４（Ａ）に示すように、長い断面形状（ここでは例えば楕円）のランプピン１３、１３を有する蛍光ランプ１１Ａのランプピン１３、１３を、ソケット２０のスリット２４に挿入した場合には、ランプピン１３は長いのでスイッチ２８の接触子２８ａに接触し、スイッチ２８から判断部２８に検出信号が送られる。判断部３１は、接触子２８ａからの検出信号に基づいて、長い断面のランプピン１３を有する蛍光ランプ１１Ａが装着されたことを検知し、蛍光ランプ１１Ａに対応した定格電力を供給するように安定器３０に指令する。
【００３１】
一方、図４（Ｂ）に示すように、断面形状が短い（ここでは例えば真円形）ランプピン１４を有する蛍光ランプ１１Ｂをソケット２０に装着すると、ランプピン１４は短いため、スイッチ２８の接触子２８ａに接触子ない。このため、スイッチ２８はオフのままであり、判断部３１は、スイッチ２８からのオフ信号に基づいて、短い断面のランプピン１４を有する蛍光ランプ１１Ｂが装着されたことを検知し、蛍光ランプ１１Ｂに対応した定格電力を供給するように安定器３０に指令する。
【００３２】
以上、説明した第３実施形態にかかる照明器具１０Ｃでは、ランプピン１３，１４を、所定の幅を有し、径方向の長さが異なる楕円形あるいは真円形に形成し、断面が長いランプピン１３のみを検出するスイッチ２８を設けたので、蛍光ランプ１１をソケット２０に装着するだけでスイッチ２８が蛍光ランプ１１を判別して、間違いなく装着された蛍光ランプ１１に定格電力を供給することができる。
【００３３】
なお、本発明の照明器具は、前述した各実施形態に限定されるものでなく、適宜な変形，改良等が可能である。
例えば、前述した各実施形態では、ランプピン１３，１４の異なる断面形状として、楕円および真円を例示したが、この他、長い断面形状としては、長円形や、長方形等とすることができる。
【図面の簡単な説明】
【００３４】
【図１】本発明の第１の実施の形態にかかる照明器具における蛍光ランプの端部を示す側面図およびソケットの正面図であり、（Ａ）はランプピンの断面形状が長い場合、（Ｂ）はランプピンの断面形状が短い場合を示す
【図２】本発明の第２の実施の形態にかかる照明器具におけるソケットの要部構成図であり、（Ａ）はランプピンの断面形状が長い場合、（Ｂ）はランプピンの断面形状が短い場合を示す
【図３】ソケットの斜視図
【図４】本発明の第３の実施の形態にかかる照明器具における蛍光ランプとソケットとの取付部および要部構成図であり、（Ａ）はランプピンの断面形状が長い場合、（Ｂ）はランプピンの断面形状が短い場合を示す
【図５】従来の照明器具の側面図
【符号の説明】
【００３５】
１０  照明器具
１１  蛍光ランプ
１２  口金
１３，１４  ランプピン
２０  ソケット
２１  電源端子
２２  接触子
２５、２６  回転子
２８  スイッチ
【図１】
2009283230.tif 000003
【図２】
2009283230.tif 000004
【図３】
2009283230.tif 000005
【図４】
2009283230.tif 000006
【図５】
2009283230.tif 000007